(57)【特許請求の範囲】
【請求項１】
第１の筒状薄肉部材と、
前記第１の筒状薄肉部材を所定の第１の距離だけ相対移動可能として内側に遊嵌する第２の筒状薄肉部材と、
前記第２の筒状薄肉部材を所定の第２の距離だけ相対移動可能として内側に遊嵌する第３の筒状薄肉部材と、
前記第１の筒状薄肉部材に備える案内軸受け部と、
前記案内軸受け部に摺動可能に挿嵌され、前記第１および第２の筒状薄肉部材が前記第３の筒状薄肉部材に略々挿入された状態の位置と略々排出された状態の位置との間を移動可能とし、前記第１から第３の筒状薄肉部材が引き出された状態の長さを持ち、前記第３の筒状薄肉部材に固定された案内軸とを設けてなるＥＶＦスライド機構と、
前記第１から第３の筒状薄肉部材が略々挿入された状態では前記ＥＶＦスライド機構を被覆するＥＶＦカバー内に位置し、略々排出された状態では前記ＥＶＦカバーの外に露呈し、前記ＥＶＦスライド機構を所定の角度だけ回動可能に所定の負荷を付与して軸支するべく、前記第１の筒状薄肉部材とカメラ本体との固定に介在するＥＶＦヒンジ機構と、
非回動状態で前記案内軸が貫通する開口部と回動状態で前記案内軸が当接する規制部とが前記ＥＶＦスライド機構の回動に対応して移動するロック機構とからなることを特徴とするＥＶＦスライドロック機構。
【発明の詳細な説明】
【０００１】
【発明の属する技術分野】
本発明は、ビデオカメラ等などに使用するエレクトリック・ビュー・ファインダー（以下、ＥＶＦと記す）に利用して有効なＥＶＦスライドロック機構に関するものである。
【０００２】
【従来の技術】
近年、ビデオカメラにおいては小型化の要求が大きく、なかでも所定の光学経路を確保するために小型化が困難なＥＶＦユニットについても、小型化の要求が高い。
【０００３】
そこでこれを改善する一手段として、ＥＶＦにスライド機構を設け、不使用時は小型に収納し、使用時はこれを引き延ばして必要な光学経路を確保する手法が取られている。以下に従来のＥＶＦスライド機構について説明する。
【０００４】
図１１は従来のＥＶＦスライド機構を有するビデオカメラの斜視図を示したものであり、ビデオカメラ本体２に、ＥＶＦスライド機構を内臓するＥＶＦユニット１が固定されている。図１１（ａ）はＥＶＦユニット１を収納した状態、図１１（ｂ）はＥＶＦユニット１を矢印Ａ方向に引き出した状態、図１１（ｃ）はＥＶＦユニットを引き出した後に矢印Ｃの方向に起こした状態（以下、「チルトＵＰした状態」と表記する。また、これに対応して、引き出しのみで起こさない状態を「チルトＤＯＷＮした状態」と表記する。）を、それぞれ示したものである。
図１２及び図１３は、ＥＶＦスライド機構の部分的な分解斜視図を示したものである。
【０００５】
図において、４は鉄板の曲げ加工にて作成されたＥＶＦスライド中で、収納／引き出し時の位置を規制し、なおかつ所定の第１の距離だけ相対移動可能とするストッパーガイド穴４ａと所定の第２の距離だけ相対移動可能とするストッパー外爪（図示せず）を設けている。６は合成樹脂にて作成されたＬＣＤホルダーで、ストッパー外爪６ａが設けられている。５は鉄板の曲げ加工にて作成されたＥＶＦスライド大で、ストッパーガイド穴（図示せず）を形成している。ＥＶＦスライド大５は、ＥＶＦスライド中４を囲むように取り付ける。取り付けはＥＶＦスライド大５の一部を弾性変形させることにより、ストッパー外爪４ｂをストッパーガイド穴５ａに入れ込んで行う。これと同様に、ＥＶＦスライド中４は、ＬＣＤホルダー６を囲むように取り付ける。取り付けはＥＶＦスライド中４を弾性変形させることにより、ストッパー外爪６ａをストッパーガイド穴４ａに入れ込んで行う。このようにして、 ＬＣＤホルダー６と、 ＥＶＦスライド中４と、ＥＶＦスライド大５とを組み合わせる。
【０００６】
なお、ＥＶＦスライド大５の外側には、ＥＶＦカバー２２が固定される。また、ＬＣＤホルダー６の内部には、画像表示ユニット２５があらかじめ収納されている。
【０００７】
ＬＣＤホルダー６には、画像表示ユニット２５が表示する画像を覗くための開口部６ｂがある。ここには外部からごみが進入し、画像表示部に付着して見苦しくなることを防ぐため、透明保護カバー８を装着固定している。
【０００８】
１８はアイキャップ、３２はアイキャップ１８と嵌合固定された視度調整機構ユニットで、視度調整機構ユニット３２に設けられた爪３２ａをＥＶＦスライド大５に設けた係合穴５ｂに係合させ、他方を固定ビス２０にてＥＶＦスライド大５に固定して、ＥＶＦユニット１が構成される。
【０００９】
視度調整機構ユニット３２は以下のように構成されている。
レンズ１１は円筒状のレンズホルダー１０に爪１０ｂにてあらかじめ係合、固定されている。レンズホルダー１０の上下にはカムフォロワー１０ａが設けられている。一方、薄肉円筒状の視度調整リング１３の内周には、カムフォロワー１０ａに片面当接する片面カム１３ａが形成されている。９はガイドホルダー、１２はレンズホルダー１０を常時矢印Ｚ方向へ付勢するコイルばねで、ガイドホルダー９に、コイルばね１２、レンズホルダー１０、視度調整リング１３の順に挿入する。カムフォロワー１０ａはガイドホルダー９に形成したガイド孔９ｂに挿入して取り付けられる。視度調整リング１３の端面１３ｂとガイドホルダー９に設けた爪９ａとが係合することにより各部材は保持され、組み立てが完了する。
【００１０】
以上のように構成された従来のＥＶＦスライド機構について、図１１から図１３を用いて、その動作を説明する。
【００１１】
まず図１２のように、ストッパー外爪（図示せず）とストッパーガイド穴（図示せず）の端面、ストッパー外爪６ａとストッパーガイド穴４ａの端面がいずれも当接することで所定の引き出し位置まで引き出し、あるいは所定の位置に収納される。
【００１２】
視度調整機構ユニット３２については、視度調整リング１３を回動して、レンズ１１が使用者の視力にあわせた位置になるように調整されている。ＥＶＦユニット１を引き出した状態では、コイルばね１２によってカムフォロワー１０ａが片面カム１３ａに規制されるので、使用者の視力にあわせた位置に保持される。一方、収納時にはレンズホルダー１０と透明保護カバー８が、収納過程の途中から当接する。ここで、レンズホルダー１０の位置は片面カム１３ａによってコイルばね１２の反発方向のみに対して位置規制されているので、さらに収納動作を継続するとコイルばね１２が縮み、片面カム１３ａとカムフォロワー部１０ａは離れる。このようにして、レンズの位置に関係なくコンパクトに収納することができる。
【００１３】
引き出し位置あるいは収納位置における保持力は、ＬＣＤホルダー６に固定したクリックばね（図示せず）と、ＥＶＦスライド大５に設けたクリック穴（図示せず）の嵌合力にて得られる。
【００１４】
【発明が解決しようとする課題】
しかしながら上記従来の構成では、使用時にＥＶＦスライド機構を引き延ばし、更にこれを図１１（ｃ）のようにチルトＵＰさせた状態のとき、ＥＶＦスライド機構を前記クリックばねによる保持力よりも強い力で光軸方向（図示の矢印Ｄの方向）に押し込むと、ＥＶＦカバー先端がビデオカメラ本体に衝突し、両者を破損してしまうという課題を有していた。
【００１５】
本発明は前記課題を解決するもので、ＥＶＦスライド機構のチルトＵＰ／チルトＤＯＷＮに対応して移動し、案内軸の先端において案内軸の移動を規制／解除する規制部材を設けたロック機構を設けることにより、ＥＶＦカバーやビデオカメラ本体の破損を防止するＥＶＦスライドロック機構を提供することを目的とする。
【００１６】
【課題を解決するための手段】
この目的を達成するために本発明のＥＶＦスライドロック機構は、第１の筒状薄肉部材と、前記第１の筒状薄肉部材を所定の第１の距離だけ相対移動可能として内側に遊嵌する第２の筒状薄肉部材と、前記第２の筒状薄肉部材を所定の第２の距離だけ相対移動可能として内側に遊嵌する第３の筒状薄肉部材と、前記第１の筒状薄肉部材に備える案内軸受け部と、前記案内軸受け部に摺動可能に挿嵌され、前記第１および第２の筒状薄肉部材が前記第３の筒状薄肉部材に略々挿入された状態の位置と略々排出された状態の位置との間を移動可能とし、前記第１から第３の筒状薄肉部材が引き出された状態の長さを持ち、前記第３の筒状薄肉部材に固定された案内軸とを設けてなるＥＶＦスライド機構と、前記第１から第３の筒状薄肉部材が略々挿入された状態では前記ＥＶＦスライド機構を被覆するＥＶＦカバー内に位置し、略々排出された状態では前記ＥＶＦカバーの外に露呈し、前記ＥＶＦスライド機構を所定の角度だけ回動可能に所定の負荷を付与して軸支するべく、前記第１の筒状薄肉部材とカメラ本体との固定に介在するＥＶＦヒンジ機構と、非回動状態で前記案内軸が貫通する開口部と回動状態で前記案内軸が当接する規制部とが前記ＥＶＦスライド機構の回動に対応して移動するロック機構とからなる構成を有している。
【００１７】
この構成によって、ＥＶＦスライド機構のチルトＵＰ／チルトＤＯＷＮに対応して移動し、案内軸の先端において案内軸の移動を規制／解除する規制部材を設けたロック機構を設けることにより、ＥＶＦカバーやビデオカメラ本体の破損を防止するＥＶＦスライドロック機構を提供できるものである。
【００１８】
【発明の実施の形態】
本発明の請求項１に記載の発明は、第１の筒状薄肉部材と、前記第１の筒状薄肉部材を所定の第１の距離だけ相対移動可能として内側に遊嵌する第２の筒状薄肉部材と、前記第２の筒状薄肉部材を所定の第２の距離だけ相対移動可能として内側に遊嵌する第３の筒状薄肉部材と、前記第１の筒状薄肉部材に備える案内軸受け部と、前記案内軸受け部に摺動可能に挿嵌され、前記第１および第２の筒状薄肉部材が前記第３の筒状薄肉部材に略々挿入された状態の位置と略々排出された状態の位置との間を移動可能とし、前記第１から第３の筒状薄肉部材が引き出された状態の長さを持ち、前記第３の筒状薄肉部材に固定された案内軸とを設けてなるＥＶＦスライド機構と、前記第１から第３の筒状薄肉部材が略々挿入された状態では前記ＥＶＦスライド機構を被覆するＥＶＦカバー内に位置し、略々排出された状態では前記ＥＶＦカバーの外に露呈し、前記ＥＶＦスライド機構を所定の角度だけ回動可能に所定の負荷を付与して軸支するべく、前記第１の筒状薄肉部材とカメラ本体との固定に介在するＥＶＦヒンジ機構と、非回動状態で前記案内軸が貫通する開口部と回動状態で前記案内軸が当接する規制部とが前記ＥＶＦスライド機構の回動に対応して移動するロック機構とからなることにより、チルトＵＰした状態ではＥＶＦユニットが光軸方向に押されてもスライド収納されないので、ＥＶＦユニットやビデオカメラ本体の傷つき、破損を防止できるという作用を有する。
【００１９】
以下、本発明の実施の形態について、図１から図７を用いて説明する。
（実施の形態１）
図１は本実施の形態のＥＶＦスライドロック機構を有するビデオカメラの斜視図を示したものであり、ビデオカメラ本体１０２に、ＥＶＦスライドロック機構を内臓するＥＶＦユニット１０１が固定されている。図１（ａ）はＥＶＦユニット１０１を収納した状態、図１（ｂ）はＥＶＦユニット１０１を引き出した状態、図１（ｃ）はＥＶＦユニット１０１を引き出した後に起こした状態を、それぞれ示したものである。図２は、ＥＶＦスライドロック機構を含むＥＶＦユニット全体の分解斜視図を示したものである。図３から図７は、ＥＶＦスライド機構およびＥＶＦスライドロック機構の部分的な分解斜視図を示したものである。
【００２０】
図２（ａ）において、１０３は第１の筒状薄肉部材であるＥＶＦスライド小、１０４は第２の筒状薄肉部材であるＥＶＦスライド中、１０５は第３の筒状薄肉部材であるＥＶＦスライド大であり、いずれも鉄板の深絞りにて作成されている。ＥＶＦスライド大１０５には、所定の規制力を与える規制機構であるスライドクリックバネ１３１がかしめにて固着されている。ＥＶＦスライド中１０４にはこのスライドクリックバネ１３１の先端に嵌合するクリック穴１０４ａを設けている。ＥＶＦスライド中１０４には、収納／引き出し時の位置を規制するためのストッパー内爪１０４ｂとストッパー外爪１０４ｃを設けている。またこれに対応して、ＥＶＦスライド小１０３には所定の第１の距離だけ相対移動可能とするストッパーガイド穴１０３ｂを、ＥＶＦスライド大１０５には所定の第２の距離だけ相対移動可能とするストッパーガイド穴１０５ｂを、それぞれ設けている。
【００２１】
ＥＶＦスライド大１０５は、ＥＶＦスライド中１０４を囲むように取り付ける。取り付けはＥＶＦスライド中１０４の両側面のストッパー外爪１０４ｃ付近を図示Ｆのように付勢し、弾性変形させることにより、ストッパー外爪１０４ｃをストッパーガイド穴１０５ｂに入れ込んで行う。これと同様に、ＥＶＦスライド中１０４は、ＥＶＦスライド小１０３を囲むように取り付ける。取り付けはＥＶＦスライド小１０３の両側面を図示Ｅのように付勢し、弾性変形させることにより、ストッパー内爪１０４ｂをストッパーガイド穴１０３ｂに入れ込んで行う。このようにして、ＥＶＦスライド小１０３とＥＶＦスライド中１０４とＥＶＦスライド大１０５とを組み合わせる。
【００２２】
１０６はＬＣＤを保持するＬＣＤホルダー、１０７はＥＶＦスライド小１０３とＥＶＦスライド中１０４との隙間からの外光もれ込みを防ぐための遮光シェードで、画像表示ユニットを収納するＬＣＤホルダー１０６に固定する。遮光シェード１０７には、常にＥＶＦスライド中１０４の内壁に弾性付勢して光漏れを防ぐように、シリコンゴムの薄板部を形成している。また、この柔らかいゴム部をＬＣＤホルダー１０６に確実に固定するため、薄肉板金で作った基板部品にこのシリコンゴムをインサート成形することにより、一体の部品として遮光シェード１０７を構成している。
【００２３】
ＬＣＤホルダー１０６には、案内軸受け部１０６ａを２個所設けている。また、ＬＣＤホルダー１０６には、画像表示ユニットが表示する画像を覗くための開口部がある。ここには外部からごみが進入して画像表示部に付着して見苦しくなることを防ぐため、透明保護カバー１０８をはめ込んでいる。なお、この透明保護カバー１０８の表面に付着したごみは、焦点がずれるため、ほとんど見えない。また、この透明保護カバー１０８の周囲縁から画像の光が漏れ出して見苦しいため、この光を遮光するための保護カバーシート１０８ａを透明カバー１０８表面に貼り付けている。このように構成したＬＣＤホルダー１０６は、ＥＶＦスライド小１０３に挿入され、係合爪１０６ｂと係合凹部１０３ｃにて係合固定される。
【００２４】
前記２個所の案内軸受け部１０６ａに摺動可能に挿嵌される案内軸である２本のガイド軸１０９ａを圧入固定したガイド軸ホルダー１０９は、 ＥＶＦスライド大１０５にガイド軸ホルダー固定ビス１２０にて固定される。
【００２５】
ガイド軸ホルダー１０９には、前記画像表示ユニットの画像を拡大するレンズを有する視度調整機構を配設して視度調整機構ユニット１３２を構成している。視度調整機構ユニット１３２は以下のように構成、配設されている。
【００２６】
ガイド軸ホルダー１０９のガイド軸１０９ａには、画像表示ユニットにおいて表示される画像を拡大するためのレンズ１１１を固定したレンズホルダー１１０を、その案内軸受け孔１１０ａにおいて摺動可能に挿嵌している。レンズホルダー１１０とガイド軸ホルダー１０９のガイド軸１０９ａ圧入部根元の間であって、ガイド軸１０９ａにはコイルばね１１２を挿入し、このコイルばね１１２が反発力によりレンズホルダー１１０を常に弾性付勢している。
【００２７】
一方、ガイド軸ホルダー１０９に設けた開口部にはレンズホルダー１１０の位置を変化させるための視度調整レバー１１３を一方の面より差込み、他方の面には軸力を与えるトルクばね１１４、前記軸力に対して所定の摩擦力を発生させるためのトルクシート１１５、レンズホルダー１１０の位置を規制するカムフォロワー部１１６ａを設けた視度調整ピース１１６を順に挿入し、これらを視度部固定ビス１１７にて締結している。レンズホルダー１１０には、前記カムフォロワー部１１６ａが当接する片面カム１１０ｂを設けている。視度調整レバー１１３と視度調整ピース１１６は一体に締結されており、視度調整レバー１１３の回動位置に応じてカムフォロワー部１１６ａの位置も移動し、レンズホルダー１１０の位置が変化する。なお、この片面カム１１０ｂは、前記コイルばね１１２の反発方向のみに対して位置規制されており、コイルばね１１２が縮む方向に対しては自由に移動できるように構成されている。このように構成された視度調整機構ユニット１３２は、ガイド軸ホルダー固定ビス１２０にてＥＶＦスライド大１０５に取り付けられる。
【００２８】
図２（ｂ）において、アイキャップ１１８は、一端をＥＶＦスライド大１０５の係合溝１０５ｃに引っかけ、他方は前記ガイド軸ホルダー１０９にビス１１９にて固定される。このようにして組み立てられたＥＶＦスライド機構には、ＥＶＦカバー１２２を被せている。ＥＶＦカバー１２２は、この下方内面に設けた２本の係合リブ１２２ａをＥＶＦスライド大１０５に設けた２個所の係合溝１０５ｆに係合させることで固定している。
【００２９】
ＥＶＦスライド大１０５には、透明保護カバー１０８に付着したごみを除去するために開口部１０５ｄを設けている。そして、この開口部１０５ｄを通常塞いでおく窓カバー１２１を、このＥＶＦスライド大１０５に差し込んで、窓カバー１２１の弾性力により窓カバー１２１に設けた係合爪１２１ａとＥＶＦスライド大１０５に設けた係合穴１０５ｅにおいて係合させることにより、着脱可能に固定している。なお、この窓カバー１２１を取り付けることにより、前記ＥＶＦカバー１２２の前記係合リブ１２２ａ近傍をＥＶＦスライド大１０５との間で挟み込むことにより、前記係合リブ１２２ａが係合溝１０５ｆから外れないように構成している。
【００３０】
画像表示ユニットは、表示部の画角範囲を決めるように所定の寸法の角穴をあけた遮光部材であるＬＣＤマスク１２６、画像表示部であるＬＣＤパネル１２７、各構成部品の厚みばらつきを吸収すべく弾性体シートで構成したＥＶＦラバー１２８、２枚の基板をフレキシブル基板で一体につないだ構成で、ＬＣＤの光源となる角型蛍光管や種々の駆動回路を搭載したＬＣＤ駆動回路ユニット１２５、およびこのＬＣＤ駆動回路ユニット１２５の２枚の基板の間に挿入し、両者を所定の間隔で支持するためのＰＢスペーサー１２９よりなる。これらの部品は、前記の順番でＬＣＤホルダー１０６に挿入される。
【００３１】
最後に、ビデオカメラ本体１０２に対してＥＶＦユニット１を所定のトルクで回動可能に支持するためのＥＶＦヒンジユニット１３０の一方の部材である第１のヒンジアングル１３３をＥＶＦスライド小１０３にヒンジ固定ビス１２４で固定することにより、閉蓋されて画像表示ユニットは収納、固定される。この時、所定の規制力を与える規制機構であるＥＶＦクリックばね１２３をＥＶＦスライド小１０３の上部に固定ビス１２４で同時に固定している。ＥＶＦクリックばね１２３は、ＥＶＦスライド機構の収納状態においては、所定の摩擦負荷を発生するようにＥＶＦスライド小１０３とＥＶＦスライド中１０４の間に挟まれている。また、ＥＶＦスライド機構の引き出し状態においては、ＥＶＦクリックばね１２３の先端傾斜部１２３ａがＥＶＦスライド中１０４の端面を付勢するように固定されており、ＥＶＦスライド機構の収納開始時に所定の負荷を発生させて、クリック感を与えるように配置、構成している。また、ＥＶＦクリックばね１２３の他端には、ＥＶＦスライド機構の収納時に前記スライドクリックばね１３１の先端と係合する係合傾斜部１２３ｂを構成している。この係合によって、ＥＶＦスライド機構の収納／引き出し時における所定の負荷を発生させ、収納状態への保持力およびクリック感を与えている。
【００３２】
ＥＶＦヒンジユニット１３０の構成について図７を用いて説明する。
案内軸１０９ａの先端にてこの案内軸１０９ａの移動を規制／解除する規制部材であるスライドロック板１３５に形成したガイド穴１３５ａに、かしめピン１３６を挿入し、これを第１のヒンジアングル１３３にかしめにて固定することにより、第１のヒンジアングル１３３に対してスライドロック板１３５を移動可能に支持している。第１のヒンジアングル１３３とスライドロック板１３５には、それぞればね係合溝１３３ａとばね係合孔１３５ｂを形成している。スライドロックばね１３８の一端をばね係合溝１３３ａに、他端をばね係合孔１３５ｂに、それぞれ挿入することにより、第１のヒンジアングル１３３に対してスライドロック板１３５を常に上方に付勢している。スライドロック板１３５には合成樹脂製のロックカム１３７を圧入、固定している。このように組み立てられた第１のヒンジアングル１３３に対して、第２のヒンジアングル１３４およびワッシャー１３９を緩挿し、第２のヒンジアングル１３４に形成した軸孔１３４ａおよびワッシャー１３９の孔１３９ａにトルク軸１４０を挿入、かしめにて締結することにより第１のヒンジアングル１３３と第２のヒンジアングル１３４は所定の回動トルクを与えられながら回動可能に支持される。
【００３３】
第１のヒンジアングル１３３にはクリック孔１３３ｂを、第２のヒンジアングル１３４にはＥＶＦヒンジユニット１３０を閉じたとき（図１ａまたは図１ｂの状態のとき）、このクリック孔１３３ｂに係合するクリック凸部１３４ｃを、それぞれ形成している。
【００３４】
第２のヒンジアングル１３４には、ＥＶＦユニット１をチルトＤＯＷＮするときロックカム１３７に当接し、これを介してスライドロック板１３５を下方に移動させるためのカムフォロワー部１３４ｂを、曲げ加工により一体的に形成している。また、第２のヒンジアングル１３４のガイド軸１０９ａ前方には、ガイド軸１０９ａが傷つかないように緩挿されるガイド孔１３４ｄをバーリング加工にて形成している。
【００３５】
第１のヒンジアングル１３３には、ＥＶＦスライド小１０３に締結するためのタッピング部１３３ｃを形成している。また、第２のヒンジアングル１３４には、ビデオカメラ本体２に固定するための係合部１３４ｅと、ビス孔１３４ｆを形成している。
【００３６】
このように構成されたＥＶＦヒンジユニット１３０が前記のようにＥＶＦスライド機構に締結、固定されてＥＶＦユニット１０１を構成しており、第２のヒンジアングル１３４の係合部１３４ｅをビデオカメラ本体１０２に形成した係合孔（図示せず）に差し込み、ビス孔１３４ｆにおいて本体固定ビス（図示せず）にてビデオカメラ本体１０２に締結、固定される。
【００３７】
以上のように構成された本実施の形態のＥＶＦスライド機構について、図８から図１０を用いて、その動作を説明する。
【００３８】
図８はＥＶＦユニット１０１を引き出した状態、図９はＥＶＦユニット１０１を収納した状態、図１０はＥＶＦユニット１０１を引き出したのち、回動して図１ｃのように起こした状態における側断面図を、いずれも示したものである。
先ず、ＥＶＦユニット１０１を引き出した状態について説明する。
【００３９】
ストッパー内爪１０４ｂとストッパーガイド穴１０３ｂの端面、ストッパー外爪１０４ｃとストッパーガイド穴１０５ｂの端面が、いずれも当接することで所定の引き出し位置まで引き出される。なおかつ、図１１のようにＥＶＦスライド中１０４のクリック穴１０４ａとＥＶＦスライド大１０５のスライドクリックバネ１３１の先端１３１ａが嵌合し、ＥＶＦクリックばね１２３の先端傾斜部１２３ａがＥＶＦスライド中１０４の端面に当接、付勢することによって、この引き出し位置に保持される。
【００４０】
視度調整機構ユニット１３２については、視度調整レバー１１３の回動位置を変えて、レンズ１１１が使用者の視力にあわせた位置になるように調整されている。
【００４１】
この状態では、スライドロック板１３５はロックカム１３７がカムフォロワー部１３４ｂによって下方に移動させられており、ガイド軸１０９ａの前方にはロック板開口部１３５ｄが位置している。このため、所定のクリック力に抗して図１ｂに示す矢印Ｂの方向に押せば、ＥＶＦユニット１０１を収納することができる。
【００４２】
次に、ＥＶＦユニット１０１を収納した状態について説明する。
図９のように、ストッパー内爪１０４ｂとストッパーガイド穴１０３ｂの端面、ストッパー外爪１０４ｃとストッパーガイド穴１０５ｂの端面が、いずれも当接することで所定の収納位置まで収納される。なおかつ、ＥＶＦクリックばね１２３の係合傾斜部１２３ｂとスライドクリックばね１３１の先端１３１ａが係合することによって、この収納位置に保持される。
【００４３】
視度調整機構ユニット１３２については、収納時にレンズホルダー１１０と透明保護カバー１０８が収納過程の途中から当接する。ここで、レンズホルダー１１０の位置は片面カム１１０ｂによってコイルばね１１２の反発方向のみに対して位置規制されているので、さらに収納動作を継続するとコイルばね１１２が縮み、片面カム１１０ｂとカムフォロワー部１１６ａは離れる。このようにして、レンズ１１１の位置に関係なくコンパクトに収納することができる。
【００４４】
この状態においても、スライドロック板１３５はロックカム１３７がカムフォロワー部１３４ｂによって下方に移動させられており、ガイド軸１０９ａの前方にはロック板開口部１３５ｄが位置している。このため、所定のクリック力に抗して図１ｂに示す矢印Ａの方向に引けば、ＥＶＦユニット１０１を引き出すことができる。
【００４５】
最後に、ＥＶＦユニット１０１を引き出したのち、回動して起こした状態について説明する。
【００４６】
図１０のように、ストッパー内爪１０４ｂとストッパーガイド穴１０３ｂの端面、ストッパー外爪１０４ｃとストッパーガイド穴１０５ｂの端面が、いずれも当接することで所定の引き出し位置まで引き出される。なおかつ、ＥＶＦスライド中１０４のクリック穴１０４ａとＥＶＦスライド大１０５のスライドクリックバネ１３１の先端１３１ａが嵌合し、ＥＶＦクリックばね１２３の先端傾斜部１２３ａがＥＶＦスライド中１０４の端面に当接、付勢することによって、この引き出し位置に保持される。
【００４７】
視度調整機構ユニット１３２については、視度調整レバー１１３の回動位置を変えて、レンズ１１１が使用者の視力にあわせた位置になるように調整されている。この状態においては、ロックカム１３７とカムフォロワー部１３４ｂは離れるので、スライドロック板１３５はスライドロックばね１３８によって上方に移動させられており、ガイド軸１０９ａの前方にはロック板規制部１３５ｃが位置している。このため、所定のクリック力に抗して図１ｃに示す矢印Ｄの方向に押しても、ガイド軸１０９ａとロック板規制部１３５ｃが当接するので、ＥＶＦユニット１０１を収納することはできない。
【００４８】
なお、本実施の形態において、薄肉部材であるＥＶＦスライド小１０３、ＥＶＦスライド中１０４、ＥＶＦスライド大１０５は、いずれも鉄板の深絞りにて作成したが、曲げ加工後、かしめや溶接によって作成しても、押し出し加工にて加工してもよく、その加工方法は問わない。また、材料は必ずしも鉄板でなくてよい。
【００４９】
また、遮光シェード１０７は薄肉板金で作った基板部品にシリコンゴムをインサート成形で作成したが、材料、加工方法は問わない。たとえば、樹脂の基材にエラストマーやシリコンゴムを一体成形してもよく、加工方法も接着で作成してもかまわない。
【００５０】
本実施の形態では、所定の規制力をあたえる規制機構として、ＥＶＦクリックばね１２３とスライドクリックばね１３１を使用したが、１つの部材で構成しても、他の部材の一部に一体的に形成してもよく、その方法は問わない。また所定の規制力は、必ずしもクリック感は必要なく、摩擦等の保持力だけでも構わない。
【００５１】
また、視度調整機構ユニット１３２において、レンズホルダー１１０の移動の案内部材としてガイド軸１０９ａを利用したが、他の部材を使用してもよいし、コイルばね１１２は１つでも、あるいは圧縮コイルばねでなくてもよい。また、視度調整方法は、必ずしもレバー方式でなくてもよいし、操作トルクの発生方法も問わない。
【００５２】
【発明の効果】
以上のように本発明は、ＥＶＦスライド機構のチルトＵＰ／チルトＤＯＷＮに対応して移動し、案内軸の先端において案内軸の移動を規制／解除する規制部材を設けたロック機構を設けたことにより、ＥＶＦユニットやビデオカメラ本体の傷つき、破損を防止することができる。
【図面の簡単な説明】
【図１】本発明の実施の形態１のＥＶＦスライド機構を有するビデオカメラの斜視図
【図２】本発明の実施の形態１のＥＶＦスライド機構の全体の分解斜視図
【図３】本発明の実施の形態１のＥＶＦスライド機構の部分的分解斜視図
【図４】本発明の実施の形態１のＥＶＦスライド機構の部分的分解斜視図
【図５】本発明の実施の形態１のＥＶＦスライド機構の部分的分解斜視図
【図６】本発明の実施の形態１のＥＶＦスライド機構の部分的分解斜視図
【図７】本発明の実施の形態１のＥＶＦスライド機構の部分的分解斜視図
【図８】本発明の実施の形態１のＥＶＦスライド機構を引き出した状態における側断面図
【図９】本発明の実施の形態１のＥＶＦスライド機構を収納した状態における側断面図
【図１０】本発明の実施の形態１のＥＶＦスライド機構を引き出したのち、起こした状態における側断面図
【図１１】従来のＥＶＦスライド機構を有するビデオカメラの斜視図
【図１２】従来のＥＶＦスライド機構の部分的分解斜視図
【図１３】従来のＥＶＦスライド機構の部分的分解斜視図
【符号の説明】
１０１  ＥＶＦユニット
１０２  ビデオカメラ本体
１０３  Ｆスライド小
１０４  ＥＶＦスライド中
１０５  ＥＶＦスライド大
１０６  ＬＣＤ保持ピース
１０７  遮光シェード
１０８  透明保護パネル
１０９  ガイド軸ホルダー
１１０  レンズホルダー
１１１  レンズ
１１２  コイルばね
１１３  視度調整レバー
１１４  トルクばね
１１５  トルクシート
１１６  視度調整ピース
１１７  視度部固定ビス
１１８  アイキャップ
１１９  ビス
１２０  ガイド軸ホルダー固定ビス
１２１  窓カバー
１２２  ＥＶＦカバー
１２３  ＥＶＦクリックばね
１２４  ヒンジ固定ビス
１２５  ＬＣＤ駆動回路ユニット
１２６  ＬＣＤマスク
１２７  ＬＣＤパネル
１２８  ＥＶＦラバー
１２９  ＰＢスペーサー
１３０  ＥＶＦヒンジユニット
１３１  スライドクリックばね
１３２  視度調整機構ユニット
１３３  第１のヒンジアングル
１３４  第２のヒンジアングル
１３５  スライドロック板
１３６  かしめピン
１３７  ロックカム
１３８  スライドロックばね
１３９  ワッシャー
１４０  トルク軸
【図１】
0003752822.tif 000002
【図２】
0003752822.tif 000003
【図３】
0003752822.tif 000004
【図４】
0003752822.tif 000005
【図５】
0003752822.tif 000006
【図６】
0003752822.tif 000007
【図７】
0003752822.tif 000008
【図８】
0003752822.tif 000009
【図９】
0003752822.tif 000010
【図１０】
0003752822.tif 000011
【図１１】
0003752822.tif 000012
【図１２】
0003752822.tif 000013
【図１３】
0003752822.tif 000014